(57)【要約】      （修正有）【課題】室内家具の引出の箱の部分を留守の時に室外側に引き出すことができ、宅配物を引出の箱の部分に入れておくことを可能とする。【解決手段】流し台等の家具を建築の壁面に設け、室内室外を抜ける引出の大きさをもった開口部を開け室内室外のどちらの側からも利用できるようにし、天候の変化やセキュリティーも考慮した構造を持たせるようにする。【選択図】図２
2005046637.tif 000002
【特許請求の範囲】
【請求項１】
室内と室外間の前後面を開口し、この開口を引出の前板１と、取外しのできる収納部３、後板２で構成され開閉を自在とするものに、内部に引出レール４を介して、前記両開口部より引出自在、あるいは収納部を縮めて、室内側に開口部を造る引出体を設け、かつ前板と収納部と後板の間に宅配物やごみの出入りがあった時、荷物のバーコードや電子メモリー情報の内容を利用者管理機能により制御手段３１とし、通信手段３２で移動体端末装置３９からも確認できる装置を前板１，引出レール４、後板２、外部壁面扉１０内部５に備えた流し台洗面台の収納部。
【請求項２】
引出体は室内側建築の壁を引出の投影面積よりやや大きい開口部を利用して、室内側および室外側をスライドレール１７やハンガーレールにつけられた引出を使ってどちらが側でも箱の中へ物の出し入れできる収納庫となっている
【請求項３】
引出体にはスライドレール１７又はハンガーレールが引出体の左右又は片側面で引出体を支え、前板１と取り外せる収納庫３と後板２から構成され、前板１及び後板２は収納部３を取り外した時、前板１は引出の左右のレールと平行に添って、収納庫の厚さ程に縮む形となるスライドレール１７の上をすべり金具１６を持ち、流し台や洗面台の下が机のように脚を伸ばせられる。前板１及び後板２及びレール１７に再び収納庫を戻し物に入れたときにレールに付けられたレール固定解除装置と引出前板１収納庫３後板２外部壁面扉１０内の利用者管理機能３１により引出についた錠の開閉を可能にしている。
【請求項４】
引出体２０は引出の開閉と荷物のバーコードや電子メモリー５を使用した認識読見込み部３７により着荷内容情報〔図４〕を利用者管理機能により制御手段３１と通信手段３２から送受信を行い、外出先からでも直接に移動端末装置３９から確認や指示ができるだけでなく、パソコン２２からインターネット４０プロバイダーサービスによりサーバー２３からの閲覧や宅配業者への指示を出すことも可能にした。
【発明の詳細な説明】
【技術分野】
【０００１】本発明は室内と室外間を、引出しの前板１よりやや大きい投影面積の開口部に建物の壁や，流し台や洗面台のキャビネット内をレールを使用してトンネル内部をスムーズに動くように、引出しが室内や室外を自在に移動でき、室内側から引出の収納庫に入った物を室外で取出したり、反対に室外側に引出した引出の収納部の空いた収納庫３を利用し、宅配物を留守宅であっても収納庫に納品してもらい、戻ってから室内側から受取れる収納庫３で、一般の宅配物やスーパーの宅配野菜の受け取りだけでなく地区によっては毎日の分別ごみの個別玄関回収といっしょに高齢者の安否の確認もプライバシーやセキュリティーも含めできるように、この収納庫内の物の確認を行う方法に、引出の前板１後板２外部壁面扉１０及びレールの可動部１３内に制御手段がありバーコードリーダー１５や、再確認カメラ１１と記録装置３３に連動している。留守宅に帰る前であっても、引出内の着荷内容〔図４〕を利用者管理機能３１により先に移動端末装置３８で閲覧や宅配業者に指示ができ、会社では通信手段３２でインターネット４０によってパソコン２２を使いカメラによる再確認１１や記禄装置３３による閲覧や指示もでき、帰宅後に室内側の引出し収納庫より物が取出せる流し台や洗面台に関する収納庫である。
【背景技術】
【０００２】宅配便やスーパーの野菜の配達は留守宅の一般住宅の場合、宅配便請け専用ロッカーや野菜収納庫をスーパーとの契約による室外に専用ロッカーを設置しないと宅配荷物は持ち帰りとなってしまう。またマンション用の１階に設けた宅配便ロッカーは留守宅でも各住戸に宅配便を  受け渡し連絡するシステムのあるマンションもあるが、一戸建ての場合は玄関ドアや玄関袖壁からの小さなポスト兼用宅配受け箱が通常であり、留守宅での場合は  引取結果証明がもらえないと持ち帰ってしまう。これは生鮮食品や宅配物のような大きな物を玄関で直接高齢者であっても受取れる手段がなく、また高齢化世帯で，電話やインターホンの呼びかけでも安否の確認ができず、地区によってはごみ集積地まで運べない高齢者に対し、ごみ集積者が一軒一軒家を回り、住居人の室内からの声が戻ってきて、玄関先まで分別ごみが持ち出してもらっての確認となってしまう。地方であっても室内外のプライバシーや宅配物の安心した受け取りが今後ますます必要になる。【０００３】しかしながら高齢化や核家族が地方にも広がり、宅配荷物が今以上に多く配達され、留守宅が多くなり宅配荷物受けロッカーがないと、家主は不在通知を帰ってから確認後、宅配物の受取り日を空けて待つ事が必要になる。【０００４】また、宅配物を受取る為には、宅配ロッカー用の家具を室外側に増やす必要となり、設置場所も必要になる他、ロッカーの設置場所による室外の天候にも左右され、高齢化家族の生活では取り出しづらく管理が難しい。
【発明の開示】
【発明が解決しようとする課題】室外からのセキュウリティーを守る為に引出が住人以外に指定した人のみトンネル内の位置で鍵が掛けたり外したりでき、閉じた鍵を開ける住人からの指示がないと開かないようにレールと連動した鍵と宅配物を外出先でも確認や指示を送れる制御手段３１や通信手段３２をもち移動端末装置を使用しながらデジタル家電化すること。【０００５】本発明は上述のごとき、実情にあり、室内外を物の出し入れを行った時、在宅者の安否の確認やセキュリティー、プライバシーを含めた、使用方法と同時に、留守宅の場合であっても宅配人が受領証明をもらわなくとも、また宅配品の情報について家主が制御手段３１や通信手段３２を引出の前板１、後板２やレール４と使用者管理機能による制御手段３１を使い移動端末装置３９で閲覧でき、地方の住宅にも配達日には確実に配達されることを目的とするものである。
【課題を解決する為の手段】
【０００６】請求項１の発明は一日のうちで誰もが使用する流し台や洗面台を利用しての室内外間を物の出し入れを可能とする引出しの使い方であり室内外を自在に突き抜ける引出で、引出内に宅配された荷物が配達されたときに引出を構成する部品に利用者管理機能のついた制御手段３１を付けそれにより荷物の着荷情報や荷物情報〔図４〕を、住人が留守であっても移動端末装置３９を使い宅配物の情報の内容が閲覧できるようにした。また高齢者の住人でも生活する上で、引出を使い、分別ごみ収納庫として使い、ごみ収集人による住人の自宅収配による安否の確認や住人のプライバシーをも考慮したことを特徴とする。
【０００７】請求項２は室内や室外間を引出の投影面積ほどの開口部をつくり、流し台、洗面台と建物の壁をトンネルのように自在にその中をぬける引出で、それに伴う引出を動かすレールであり、引出が宅配荷物等を保管する収納庫３となることである。
【０００８】請求項３はレール４により引出２０が室内側および室外側とスライドし、物の出し入れがし易いが、引出を構成している前板１、取出せる収納庫３、後板２で、収納庫３だけを取り除くと、このスライドレールは、外した収納庫にほぼ近い奥行きが、前板１がスライドして後板部に接近でき、室内側が机の足元のように空きができ車イス仕様にもなる、また引出の収納庫をもとに戻し、引出に入った宅配荷物を、家主が留守であっても収納庫に入った宅配荷物の情報〔図４〕を認識読込み部３７やレール１７引出しの前板１後板２外部壁面扉１０とを制御手段３１により管理している。
【０００９】請求項４は引出やレールについた制御手段３１や通信手段３２により引出箱内の請求項３のデータ−をパソコン２２より留守宅に配達された宅配荷物をネットワークで閲覧するものである。また引出を外部より決められた人意外空けられない３６ために、引出レールにレール固定錠３４がかかり、宅配専用３５のバーコードリーダーや電子メモリーの読取３７カメラにより再確認３３が制御手段から通信手段、ＬＡＮよりサーバーからのネットワークを通してパソコン２２からの確認だけでなく、直接移動体端末装置３９からも再確認を可能とすることを特徴とする。
【発明の効果】
【００１０】郵便物のような小さい宅配物については、一般家庭において室外より室内方向のみ投函され、玄関扉脇に郵便物兼用宅配受け箱も一方方向のみ使われている。玄関以外にも家庭内で誰もが毎日一度は利用する洗面化粧台や流し台があり、これを調理、洗顔や水を使うだけでなく、下の収納部分を今までの収納部と違う使い方として、流し台、洗面台の収納部を引出にして室内と室外を行き来できる収納庫とした。室内側より使用した時は今後のごみは有料化もされつつあるが毎日の分別ごみが複数の引出によって分け易いだけでなるだけでなく搬出に在宅者の集積所までのごみの搬出が不可能な高齢者であってもごみの玄関先までの収集サービス地区に於いては安否の確認もし易くなり、耳が遠く聞こえない高齢者でも、宅配物を流し台の引出を引出すだけで受取れ、そして外出先でも引出しの空いている収納部を利用して宅配物や大きな郵便物までも留守宅に於いても配達されるだけでなく、引出の収納庫に設定した番号ごとに収納庫内の宅配物についての内容の確認を移動端末装置３９で宅配会社に確認や指示ができ、さらに外室先でも引出に鍵が掛けられることは、室内と室外を自在とする収納庫においては、利用者管理機能３１が必要になってくる。少子化や高齢化にともなう不意の健康状態による生活の変化にあっては室内  室外を自在に抜ける引出は他に、このレールの特性を利用し、引出を構成している収納庫だけを外し，前板を後板に接近させることで、机の下のように開口部が広く空くことは、で車イスも使用でき、急な健康状態の変化にも高齢者自身で対応し易く、室外と室内を自在に行き交う引出はバーコードや電子メモリーを接近しただけで、確認し，レールに鍵を掛けることでセキュリティーまでも含めたデジタル家電化の一つに流し台や洗面台となる。
【発明を実施する為の最良の形態】
【００１２】〔図１〕、〔図２〕は室内、室外を貫通する開口部はトンネル構造で、その中を引出〔図１１〕が自在に行き来できることが本発明の特徴であり、室内側は、流し台、洗面化粧台や調理台、コンロ台の収納部に開口を備え、室外側には室内側と同じ大きさの開口部が建物を突き抜ける形で開けられ、〔図７〕、〔図８〕、〔図１０〕では気象条件やセキュリティーを考慮し、さらに開口蓋１０を備えているものもある。
【００１３】流し台も洗面化粧台もシンクの下には排水管や給水管〔図５〕、〔図６〕、〔図７〕、〔図８〕、があるため、
【００１２】のように室内と室外の間を配管がはばみ、レールに取付られる引出を構成している前板１、収納部３，後板２のうち後板２はレールといっしょには取付けられない。また〔図９〕、〔図５〕は従来の流し台のように、流し台の背面に建築壁がありトンネルのように突き抜けている構造にはなっていないので、従来の建築壁のある〔図５〕、〔図６〕、〔図９〕の他配水管が引出を外部まで突き抜けられないため、建築壁外壁部分には引出を引出せないため、後板２を外壁用の扉として使用するか、さらにセキュリィティーや気象条件の変化を考慮して〔図７〕、〔図８〕，〔図１０〕仕様のものもあり、それぞれに５の装置３１も取り付けられている。また〔図５〕に関しては〔図３〕同様に収納庫３を外すことができることを特徴とする。
【００１４】レールを移動手段とした、スライドレールは、本体レール４と前後スライドレール１７が本体レール内に収まった位置〔図１１〕のとき、固定錠６が制御手段５の指示３１によりレールをディスクストッパーｌ４により固定３４される〔図１２〕。また前後するスライドレール１７の上を引出前板１はすべりスライド部１６の部品により左右平行して取り付けてある前後スライドレール１７用に直角に取付けられているため、収納庫３を点線方向に外した１２ときにも、〔図３〕、〔図５〕のように、このすべりスライド部品１６は前後スライドレールの長さ内を前板と共に、後板２方向やシンクの下の配管方向へすべらせて前板１を接近させられる本発明の特徴である〔図４〕、〔図６〕、〔図８〕。
【００１５】引出は前板１，収納庫３、後板２で構成されていて〔図１１〕、引出の収納庫３は分割〔図１〕、〔図３〕を可能に構成さしているが、これは引出に宅配品や毎日のごみ入れなどとして収納庫を分割して使用されたとき、５の読取装置３７やレール読取装置３４に制御手段３１や通信手段３２により管理できるようになっている。また引出前板１、後板２に収納庫３を点線方向１２へ取外したとしても、収納庫は単独の分別ごみ入れになり、重ねて収納棚にもなる。また
【００１４】にて引出前板１を後ろ方向へ移動することで、流し台や洗面台の収納部は足が入る机のような空間ができ車イスでも使用できる。また
【００１２】でトンネル内のレール４を使用した引出は、室内、室外どちら側でも収納庫３に収納物を収められ、どちら側でも受取りもできることを特徴とする。
【００１６】〔図１１〕は引出を構成している前板１、後板２、外壁扉１０についた５の読取装置３７に制御手段３１や通信手段３２からの指示があるとき本体レール４に前後スライドレール１７、が収められたとき、あるいはすべりスライド部品１６による収納庫３が外されている時も同様にヂィスクストッパー１４により引出は固定３４できる。
【００１７】〔図１２〕は流し台、洗面台、コンロ台，調理台の収納部についた引出の実施する為の説明図で室外から宅配便の宅配者が宅配専用バーコードや宅配物引受けバーコードリーダーを持って近づくと３５から引出の構成部品である後板２あるいは外壁扉１０についた５の制御手段３１の指示で宅配物や郵便物のバーコードや電子メモリーを読取り３７部１５の指示により引出のレール固定錠３４はディスクロック１４を使用し解除して引手７または外壁扉１０を開け引出を引出そうとした時にスライドレール本体４と前後スライドレールにについたレール読取装置により室外方向からの引出しの開閉を読取部５の収納庫３に近い制御手段３１使用して収納庫に入った宅配物のバーコードや電子メモリーにより〔図１４〕の内容を読取３７さらにカメラ１１による再確認記禄装置３３による宅配物の映像を再確認録画すると共に時計３８による配達記録がカメラ１１による記憶媒体３３といっしょに記憶される。引出２０や外壁扉１０を閉じようとレールや動いたとき住人管理機能３１により移動端末装置３９に直接受信され〔図１５〕の情報が入り住人が外出先でもデータ−情報の宅配物が確認でき、さらに詳しくカメラの映像による再確認３３ができ、不信な物であっても〔図１４〕の送信宅配品連絡先に、家に戻る前でも移動端末装置３９による宅配物の引取りを依頼することができる。住人は制御手段３１から公衆電話を使用しデータ−送受信３１を使用しインターネット４０のプロバイダーのサーバー２３からの宅配品の収納庫への納品ごとの送信以外にもパソコン２２を使用して、宅配物の引取りも依頼できし流し台や洗面台に室外から複数の引出に宅配物を受取れるように引出の番号を利用者管理機能３１で管理が可能となる。
【実施例】
【００１８】高齢化や核家族が地方でも進むため、外部からの侵入者によるセキュリィティーを考慮する必要性があり、一方では一般の宅配物だけでなく，スーパーの宅配サービスも野菜やお米などが宅配を必要とし、高齢者の安否も確認でき、電話やインターホンに耳が遠くて聞こえなくても、宅配物を安全に受取れ、宅配荷物が留守宅に届き、移動端末装置の表示を使用して外出しても情報内容を住人が知る事は、近所付き合いの無くなった都会の高齢者にも安心感をあたえる。また流し台や洗面台の引出しを室内側から確認できることは、宅配ロッカー用の家具を室外側に増やす必要もなく、引出しを複数にすることにより室内から受取れる品目を増やすこともできる。かつて流し台が公団住宅によりコンパクト化されたり，床下収納庫がより生活を豊かにした時代があったが、同じようにこれからの時代に室外、室内の開口部を引出が自在に前後することは収納庫内の宅配物を盗まれることだけでなく，住人の情報も外部に漏れやすくなるため引出には住人と指定した人意外には引出レールに外出先であっても、在宅中であっても、訪問者の確認に玄関のインターホンが映像化して確認できたとき以上の、デジタル家電化されないと住人の安全性もたもてない。
【図面の簡単な説明】
【図１】流し台、洗面台の収納部分と建物の壁をトンネルのように貫通した引出が矢印９方向の室内側に引出された図
【図２】流し台、洗面台の収納部分と建物の壁をトンネルのように貫通した引出が矢印９方向の室外側に引出された図
【図３】流し台、洗面台の収納部分と建物の壁を貫通したトンネル内にセットされているレール４についた前板１、収納庫３、後板２のうち収納庫のみ外した図。
【図４】流し台、洗面台の収納部分と建物の壁を貫通したトンネル内にセットされているレール４についた前板１、収納庫３、後板２のうち収納庫のみ外しレールについた前板１、後板２のうち，前板▲１▼のみレールにしたがって収納庫３の奥行きの部分に近い奥行きを後板３に矢印９方向の近づけ、流し台、洗面台の収納部分が、室内側の足元が広がり、机や車イス使用者にも使用できる。
【図５】流し台、洗面台の収納部分と建物の壁との間に配管８があり、配管手前までの、レール４についた前板▲１▼と配管８手前までの収納庫３のうち収納庫３のみ外した図。
【図６】流し台、洗面台の収納部分と建物の壁との間に配管８があり、配管８手前までの、レール４についた前板と配管手前までの収納庫３のうち収納庫３のみ外し、レールについた前板１のうち、前板▲１▼のみレールにしたがって収納庫の奥行きの部分に近い奥行きを配管８手前まで矢印９方向の近づけ、流し台、洗面台の収納部分が、室内側の足元が広がり、机や車イス使用者にも使用できる。
【図７】流し台、洗面台の収納部分と建物の壁がトンネルのように貫通しているが、トンネル内に配管があり、配管８手前までの、レール４についた前板▲１▼と配管８手前までの収納庫３のうち、収納庫３のみ外し、また引出の後板は単独でレールとは別に建物外壁の意匠に合わせた扉２がセキュリティーや雨、積雪、の多い地方の戸締りとして設置されている図。
【図８】流し台、洗面台の収納部分と建物の壁がトンネルのように貫通しているが、トンネル内に配管があり、配管８手前までの、レール４についた前板▲１▼と配管８手前までの収納庫３のうち、収納庫３のみ外し、レール４についた前板１のうち、前板▲１▼のみレールにしたがって収納庫の奥行きの部分に近い奥行きを配管８手前まで矢印９方向の近づけ、流し台、洗面台の収納部分が、室内側の足元が広がり、机や車イス使用者にも使用できる。また引出の後板は単独でレールとは別に建物外壁の意匠に合わせた扉２がセキュリティーや雨、積雪、の多い地方の戸締りとして設置されている図。
【図９】流し台、洗面台の背部に建物の壁がり、流し台、洗面台の収納部に引出といっしょにセットされたレール４は室内側に矢印９方向に引出される。
【図１０】流し台、洗面台の収納部分と建物の壁がトンネルのように貫通しているが、レール４にセットされている引出の前板１、収納庫３、後板２は矢印９方向及び室外方向にも移動するが、建物外壁の意匠に合わせた扉１０がセキュリティーや雨、積雪、の多い地方の戸締りとして設置されている図。
【図１１】は引出の構成部分とレールの他、引出とはレールの固定錠と情報のみがつながっている外壁部扉にもついている読取部を示す。
【図１２】引出についた前板、後板２、レール４についた、バーコードや電子目メモリー読取部や確認用カメラと引出をレールにより固定する錠の構成例を示す。
【図１３】は引出の前板１、後板２、レール４についた機能を説明するためのブロック図である。
【図１４】は引出の前板１、後板２、レール４についた機能やネットワークを使ったＰＣや移動体端末装置を使って確認できる内容をしめす。宅配物やごみの内容だけでなく、セキュリティーや在宅者の安否の確認もできる。
【図１５】引出とネットワークの接続例を概念的に示す図である。
【符号の説明】
１  引出前板
２  引出後板
３  引出収納庫
４  スライドレール本体
５  引出前板、後板、外壁扉についたバーコードリーダーやカメラ，レール錠との制御手段、通信手段を備えている。
６  引出レールについた制御手段からの指示によるレール固定錠
７  引出の取っ手。
８  流し台、洗面台収納部の排水や給水管をしめす。
９  引出の引出される方向の矢印を
１０  引出の外壁部開き扉で外壁意匠に合わせたものや、豪雪や風雨に耐えられる仕様外部開扉。
１１  カメラ再確認部
１２  引出から収納庫を取出す指示
１３  レールの動きをよむレール読取装置
１４  レール中のディスク型ストッパー
１５  引出前板、後板、外部扉の裏表についたバーコードリーダーや電子メモリー読取部
１６  引出前板１と前後スライドするレールの上を左右均等に前板をスライドさせるためのすべり金具
１７  本体の壁面に固定されたレール４に前後にスライドするレール
２０  引出とレールとの制御手段、通信手段をあらわした図
２０ａ  ＮＯ，１流し台、コンロ台、調理台、洗面台の下収納部についた引出の一つ
２０ｂ  ＮＯ，２  ＮＯ，３流し台、コンロ台、調理台、洗面台の下収納部についた引出の一つ
２０ｃ  ＮＯ，４  ＮＯ，５流し台、コンロ台、調理台、洗面台の下収納部についた引出の一つ
２２  ＰＣ（パ−ソナルコンピュ−ター）
２３  プロバイダーのサーバー
２４  電話回線網と無線通信網
３１  制御手段と利用者管理機能付
３２  データ−送受信と通信手段
３３  カメラ再確認部からの記録装置
３４  収納庫レール固定管理錠
３５  宅配業者専用バーコード接近レール固定解除装置
３６  家族。指定人接近レール固定解除装置
３７  バーコードリーダー認識読込み部
３８  時計
３９  移動端末装置
４０  インターネット
４１  ＬＡＮ
【図１】
2005046637.tif 000003
【図２】
2005046637.tif 000004
【図３】
2005046637.tif 000005
【図４】
2005046637.tif 000006
【図５】
2005046637.tif 000007
【図６】
2005046637.tif 000008
【図７】
2005046637.tif 000009
【図８】
2005046637.tif 000010
【図９】
2005046637.tif 000011
【図１０】
2005046637.tif 000012
【図１１】
2005046637.tif 000013
【図１２】
2005046637.tif 000014
【図１３】
2005046637.tif 000015
【図１４】
2005046637.tif 000016
【図１５】
2005046637.tif 000017